(57)【要約】  【課題】  本発明は、前述した問題点を解決しようとするものであり、浴室内のカウンタ有無とは無関係に使用することができ、ともまわりの発生を防止することが可能な接続配管を提供することを目的とする。  【解決手段】  本発明は、通水管と、この通水管の端部に接続される接続金具と、この接続金具に係合する回転防止具とを備え、上記接続金具が、多角形係合部及びその先端のねじ溝部を有し、上記回転防止具が、開口及びこの開口周囲に接続金具の多角形係合部と係合する係合受けを有する接続配管である。  【選択図】  図４
2007078014.tif 000002
【特許請求の範囲】
【請求項１】
通水管と、この通水管の端部に接続される接続金具と、この接続金具に係合する回転防止具とを備え、上記接続金具が、多角形係合部及びその先端のねじ溝部を有し、上記回転防止具が、開口及びこの開口周囲に接続金具の多角形係合部と係合する係合受けを有する接続配管。
【請求項２】
請求項１において、係合受けが、多角形係合部の多角数の倍数の頂部を備えた形状である接続配管。
【請求項３】
請求項１又は２において、多角形係合部が、六角形である接続配管。
【請求項４】
請求項１乃至３の何れかにおいて、回転防止具が、浴室壁の開口に配置された点検口に配置された接続配管。
【発明の詳細な説明】
【技術分野】
【０００１】
本発明は、配管の一部として使用される接続配管に関する。
【背景技術】
【０００２】
接続配管は、配管の一部として使用されるもので、具体的には浴室ユニットに用いられる給水配管、給湯配管等に用いられる。
【０００３】
図１は、従来用いられた接続配管を示す浴室ユニットの透視斜視図である。浴室内には、浴槽１及びカウンタ２が設けられ、浴槽１には浴槽内に湯張りを行う浴槽水栓３を配置し、カウンタ２を設置している浴室壁４にカウンタ水栓５を設置している。
【０００４】
浴室にて使用される水及び湯は、給水配管６及び給湯配管７により浴室内に導かれ、分水金具８によって浴槽水栓３への水路及びカウンタ水栓５への水路に分岐される。また、配管は、浴室使用者からは見えないようにしてあり、給水配管６及び給湯配管７が、浴槽１とこの浴槽１のエプロンとの間に配置され、分水金具８から浴槽水栓３迄の配管についても、浴槽１とこの浴槽１のエプロンとの間に配置される。
【０００５】
分水金具８からカウンタ水栓５迄の配管は、基本的にカウンタ２の内部を通すことにより、浴室使用者から隠すことができるが、カウンタ２の上面からカウンタ水栓５迄の間は、配管を隠蔽するものがないので、接続配管９により浴室壁４の裏面に配管を通すようにしている。
【０００６】
図２は、カウンタのない浴室の透視斜視図である。カウンタがない場合は、カウンタ水栓５へと湯水を導入する配管を隠蔽するものがなくなるので、接続配管９の長さを長くすることにより、その大部分を浴室壁４の裏面に隠すようにする。
【特許文献１】特開平７−３１０４４６号公報  図１
【発明の開示】
【発明が解決しようとする課題】
【０００７】
しかしながら、図１に記載される接続配管９は、カウンタ２を備える浴室でしか使用することができず、接続配管９が浴室壁４の裏面にあり、接続配管９に接続する水栓又は配管が浴室壁４の表面にあることから、接続配管９の接続時に、ともまわりが発生しやすく、接続配管９がよじれないように金属製の接続配管を使用する必要があった。
【０００８】
また、図２に記載される接続配管９は、カウンタの有無とは無関係に使用することができるものの、やはりともまわりによる配管のよじれを防止するために、金属製の接続配管を使用する必要があり、更には、接続配管９が直線状の配管でないことから、左右勝手違いの配管となり、その長さ及び左右の違いにより多くの種類の接続配管を準備する必要があった。
【０００９】
本発明は、前述した問題点を解決しようとするものであり、浴室内のカウンタ有無とは無関係に使用することができ、ともまわりの発生を防止することが可能な接続配管を提供することを目的とする。
【課題を解決するための手段】
【００１０】
（１）本発明は、通水管と、この通水管の端部に接続される接続金具と、この接続金具に係合する回転防止具とを備え、上記接続金具が、多角形係合部及びその先端のねじ溝部を有し、上記回転防止具が、開口及びこの開口周囲に接続金具の多角形係合部と係合する係合受けを有する接続配管である。
（２）項（１）において、係合受けが、多角形係合部の多角数の倍数の頂部を備えた形状である接続配管。
（３）項（１）又は（２）において、多角形係合部が、六角形である接続配管。
（４）項（１）乃至（３）の何れかにおいて、回転防止具が、浴室壁の開口に配置された点検口に配置された接続配管。
【発明の効果】
【００１１】
本発明の接続配管によれば、回転防止具の係合受けと、接続金具の多角形係合部とを係合させることにより、ともまわりの発生を防止することができ、また、係合部が多角形であることから、接続配管を必ずしも鉛直方向に向ける必要がなく、接続配管を斜めに接続固定することもできるので、カウンタの有無に関係なく使用することができる。
【００１２】
また、接続配管は、ともまわりを防止することにより、必ずしも金属製である必要はなく、可撓性を有する合成樹脂成形管を使用することができ、施工性を向上させることができると共に、左右勝手違いにならず、左右共通の接続配管とすることができる。
【００１３】
係合受けを、多角形係合部の多角数の倍数の頂部を備えた形状とした場合は、多角数をＮとすると、３６０／Ｎ度単位でしか角度調整できないものが、より多くの角度単位で角度調整が可能であり、より施工現場に即した細かい角度調整を行うことができる。特に、多角形を六角形とし、係合受けを２倍数とした場合は、３０度単位で調整でき、実施工現場での要求を十分に満足した調整角度とすることができる。
【００１４】
回転防止具を浴室壁の開口に配置された点検口に配置した場合は、点検口以外に別途、配管通し孔を設ける必要がなく、作業性を良好とすることができる。
【発明を実施するための最良の形態】
【００１５】
本発明に用いる通水管は、水漏れがないものであれば特に制限されるものではなく、金属製、可撓性のある合成樹脂製のものなどを使用することができる。
また、高温水を使用する場合には、耐熱性能を有するものを使用することが好ましい。
【００１６】
本発明に用いる接続金具は、通水管の一端又は両端に接続されるものであり、多角形係合部及びねじ溝部を有している。多角形係合部は、図３に示すように、（ａ）三角形、（ｂ）四角形、（ｃ）五角形、（ｄ）六角形等の形状とすることができるが、加工性を考え偶数多角形とすることが好ましく、特に六角形とすることが好ましい。
ねじ溝部は、多角形係合部から延設される配管の外周部又は内周部に設けられるもので、そのピッチは適宜選択することができる。
接続金具の材質は、特に限定されるものではないが、防錆性能を有する金属又は防錆処理を施した金属が好ましい。
【００１７】
本発明に用いる回転防止具は、開口及び係合受けを有するものであれば特に制限されるものではない。
開口は、接続金具のねじ溝部を挿入するものであり、この開口を通して壁の裏側から表側へと配管を通す。
係合受けは、開口周囲に設けられて、接続金具の多角形係合部と係合するものであり、多角形係合部と相似形の形状か、又は、多角形係合部の多角数の倍数の頂部を備えた形状とすることができる。
係合受けについてより具体的に述べると、係合受けは、Ｎ角形である多角形係合部の形状を基本形状とし、更に好ましくは、２Ｎ又は３Ｎの頂部を有する形状とすることができる。２Ｎ又は３Ｎの頂部を有する形状とは、Ｎ角形の図形を２枚又は３枚重ね、その重心位置を変えずに１枚を３６０／２Ｎ度、又は、３６０／３Ｎ回転させた際に形成される、外周線形状を意味する。
図４を用いて説明すると、図４（ａ）に示すように、多角形係合部１０の形状を三角形とした場合は、この三角形の重心をずらさずに３０度ずつ回転させた三角形と、元の三角形の重なり形状の外周線の形成する形状を係合受け１１の形状とする。
また、図４（ｂ）は、四角形の多角形係合部１０の場合を示し、３０度ずらした形状となる。図４（ｃ）は、六角形の多角形係合部１０の場合を示し、３０度ずらした形状となる。そして、このような形状の係合受け１１を使用することで、３０度ピッチで配管の接続角度を変化させることができる。
尚、図４の説明では、全て３０度ずつずらしているが、このずらし角度は任意に選択することができ、数値を小さくするほど、接続角度の微調整を行うことができる。
【実施例】
【００１８】
以下、図面を用いて、本発明の実施例を説明する。
図５は、本発明の接続配管を備えた浴室ユニットの一部透視斜視図である。浴室ユニット１２は、底面に浴槽載置床パン１３及び洗い場床パン１４が接続されて設置してあり、浴槽載置床パン１３の上に浴槽１を載置している。
また、床パンの周囲には、加飾を施した鋼板製の浴室壁４が立設してあり、裏面に断熱するための石膏ボード（図示省略）を配置してある。更に、浴室壁４には、カウンタ２を固定した。
【００１９】
給水配管６及び給湯配管７は、浴室ユニット１２の外部より、洗い場床パン１４及び浴槽載置床パン１３の下面を通過させ、浴槽載置床パン１３に設けた貫通孔１５から浴室ユニット１２内に引き込む。尚、貫通孔１５は、浴槽載置床パン１３の底面を一部盛り上げて形成した台の頂部に設けてあり、この貫通孔より水漏れ等が発生することはない。
【００２０】
給水配管６及び給湯配管７は、浴槽１、浴室壁４、図示を省略する浴槽エプロンに囲まれた空間にて、分水金具８により分岐され、一方は浴槽水栓３へと向かい、他方はカウンタ水栓５へと向かう。カウンタ水栓５へと分岐させた水路は、浴室壁４に設けた点検口１６の開口より浴室ユニット１２外へと導く。
【００２１】
図６は、点検口の概略斜視図である。点検口１６は、ビス１７により浴室壁に固定される点検口蓋１８により閉塞され、必要に応じて取り外される。点検口蓋１８には、２つの通水孔１９が設けられており、ここに裏面より接続配管２０が挿入される。
【００２２】
接続配管２０は、その先端が接続金具２１となっており、この接続金具２１のねじ溝部２２が通水孔１９に挿入され、表側にて分水金具より導かれた水管と螺合接続される。
また、接続金具２１は、六角形の回転防止具２３を備え、通水孔１９は、その内面に図４（Ｃ）に示す係合受け１１を備えているので、接続配管の接続角度を３０度単位で変化させることができ、且つ、ともまわりを阻止することができる。
【図面の簡単な説明】
【００２３】
【図１】従来例を示す浴室ユニットの透視斜視図である。
【図２】従来例を示す別の浴室ユニットの透視斜視図である。
【図３】本発明の実施例である多角形係合部を示し、（ａ）は三角形のもの、（ｂ）は四角形のもの、（ｃ）は五角形のもの、（ｄ）は六角形のものを示す。
【図４】本発明の実施例である係合受けを示し、（ａ）は三角形を回転させたもの、（ｂ）は四角形を回転させたもの、（ｃ）は六角形を回転させたものを示す。
【図５】本発明の実施例である接続配管を備えた浴室ユニットの一部透視斜視図を示す。
【図６】図に示す点検口の拡大概略斜視図を示す。
【符号の説明】
【００２４】
１…浴槽、２…カウンタ、３…浴槽水栓、４…浴室壁、５…カウンタ水栓、６…給水配管、７…給湯配管、８…分水金具、９…接続配管、１０…多角形係合部、１１…係合受け、１２…浴室ユニット、１３…浴槽載置床パン、１４…洗い場床パン、１５…貫通孔、１６…点検口、１７…ビス、１８…点検口蓋、１９…通水孔、２０…接続配管、２１…接続金具、２２…ねじ溝部、２３…回転防止具。
【図１】
2007078014.tif 000003
【図２】
2007078014.tif 000004
【図３】
2007078014.tif 000005
【図４】
2007078014.tif 000006
【図５】
2007078014.tif 000007
【図６】
2007078014.tif 000008